(57)【要約】【課題】容易な構成で待機時電力を低減すること。【解決手段】電圧変換部２１２は、開閉部２１１を介して供給される電源に電圧変換処理を施して生成した所定電圧電源を充電制御部２１３などへ供給する。充電制御部２１３は、所定電圧電源に基づいて蓄電源２１４に充電する。蓄電源２１４は、所定電圧電源がＯＦＦの場合に、充電電源として電源制御部１１０へ供給される。所定電圧電源をＯＦＦからＯＮとする場合、充電電源で動作する電源制御部１１０に備えられた信号受信部２０１が操作機器ＣＤから受信した信号が、信号識別部２０２により、電源制御に関する信号であると識別され、開閉制御部２０３による開閉の状態に応じた開閉情報が、開閉制御部２０３から開閉部２１１へ出力されて所定電圧電源がＯＮとなる。ＯＮからＯＦＦにする場合は、通信部２０４を介して信号処理制御部４０から通知される情報により開閉制御部２０３が制御する。【選択図】  図２
2011071810.tif 000002
【特許請求の範囲】
【請求項１】
外部から供給される電源に基づいて生成され、信号処理手段に供給される所定電圧の供給電源の供給を制御する電源制御装置であって、
前記供給電源のオン／オフを切り替える信号を遠隔操作機器から受信する受信手段と、
前記受信手段が受信する前記信号に応じて、前記供給電源のオン／オフを制御する制御手段と、
前記制御手段による前記供給電源のオン／オフの制御に関する情報に基づいて、前記受信手段が受信した信号が、前記供給電源をオフからオンに切り替える信号か、またはオンからオフに切り替える信号かを識別する識別手段と、
を具備し、
前記制御手段は、前記識別手段がオフに切り替える信号であると識別した場合に、当該識別結果の通知に対する前記信号処理手段からの返信に応じて、前記制御手段は前記供給電源をオフするように制御し、
前記受信手段、前記制御手段、および前記識別手段は、前記供給電源がオフするように制御されている場合に、前記供給電源がオンのときに当該供給電源の電力に基づいて充電される蓄電源を供給されて動作することを特徴とする電源制御装置。
【請求項２】
前記信号処理手段と通信する通信手段を具備し、
前記識別手段がオフに切り替える信号であると識別した場合、前記通信手段は、前記識別結果の通知および／または前記信号処理手段からの返信に関して通信することを特徴とする請求項１記載の電源制御装置。
【請求項３】
前記制御手段は、前記電源を供給する経路のうち供給元に近い経路であって、前記電源に対して所定の電圧変換がなされる前の経路を開閉して前記供給電源のオン／オフを制御することを特徴とする請求項２記載の電源制御装置。
【請求項４】
請求項１乃至３の何れか１項の電源制御装置を備えることを特徴とする電子機器。
【請求項５】
外部から供給される電源に基づいて生成され、信号処理手段に供給される所定電圧の供給電源の供給を制御する電源制御方法であって、
前記供給電源のオン／オフを切り替える信号を遠隔操作機器から受信し、
前記受信した信号に応じて、前記供給電源のオン／オフを制御し、
前記供給電源のオン／オフの制御に関する情報に基づいて、前記受信した信号が、前記供給電源をオフからオンに切り替える信号か、またはオンからオフに切り替える信号かを識別し、
前記受信した信号がオフに切り替える信号であると識別された場合に、当該識別結果の通知に対する前記信号処理手段からの返信に応じて、前記供給電源をオフするように制御し、
前記受信、前記制御、および前記識別は、前記供給電源がオフするように制御されている場合に、前記供給電源がオンのときに当該供給電源の電力に基づいて充電される蓄電源の供給により実行されることを特徴とする電源制御方法。
【発明の詳細な説明】
【技術分野】
【０００１】
本発明は、電源の供給をＯＮ／ＯＦＦするように制御する電源制御装置、電子機器および電源制御方法に関する。
【背景技術】
【０００２】
テレビジョン受像機やＨＤＤレコーダなどの電子機器は、この電子機器の状態として、ほぼ全ての機能部が動作可能なオン状態と、ほぼ全ての機能部は動作せず、リモコンからの制御信号に応答する起動や計時などの特定の機能のみが動作するスタンバイ状態とを有することが一般的である。また、特にテレビジョン受像機などのように、リモコンによる起動もせず、計時などのさらに限定的な機能のみが動作するオフ状態も有し、これらの３つの状態間を遷移することができる電子機器も広く普及している。
【０００３】
そして、近年、電子機器のスタンバイ状態やオフ状態の消費電力（待機時電力とも称する）を低減することが期待されていて、この期待に対応する様々な発明や考案がなされている。
【０００４】
例えば、特許文献１によれば、宅内コンセントなどの装置の外部電源に接続されて、常時通電される給電回路から、開閉手段を介さずに電源を供給される制御回路が、遠隔操作手段からの電源のオン／オフに係る指令信号に応じて開閉手段の開閉を制御する。そして、この制御回路が、開閉手段が開となるように制御して、この開閉手段を介して給電される電源をオフとして、待機状態における消費電力を抑制する手法が開示されている。
【０００５】
また、特許文献２によれば、主電源スイッチがオフの場合に、主電源スイッチの状態を監視するマイクロコンピュータが、主に太陽電池からの電力によって電源を供給されて、交流電源ラインの電力消費をゼロとする手法が開示されている。そして、このマイクロコンピュータは、主電源スイッチの状態に応じて、主電源回路へ供給する交流電源のオン／オフを制御する。
【先行技術文献】
【特許文献】
【０００６】
【特許文献１】特許第３２２８５４２号公報  （図１  段落００１５）
【特許文献２】特開平０７−０９５４９６号公報  （図１  段落００２７）
【発明の概要】
【発明が解決しようとする課題】
【０００７】
しかし、特許文献１では、開閉手段の開閉状態を把握することができない制御回路が、遠隔操作手段からの指令信号が電源オン信号であることを判別するためには、電源オン信号が一意的な信号である必要があった。汎用的なリモコンの場合、電源オン信号と電源オフ信号は同一信号として送信されてくるので、汎用的なリモコンによって、この発明を実現することは困難であった。また、開閉手段の開閉を制御する制御回路は、宅内コンセントなどの装置の外部電源に接続されて、常時通電される給電回路から、開閉手段を介さずに電源を供給される構成となっていた。従って、宅内コンセントなどの装置の外部電源からの、開閉を制御する回路による定常的な消費電力を低減することは困難であった。
【０００８】
さらに、特許文献２では、主電源スイッチがオフの場合に、マイクロコンピュータは、太陽電池から電源供給されていた。また、主電源スイッチがオフでない場合には、マイクロコンピュータは、待機用トランスおよびレギュレータにより電源を供給されていた。つまり、マイクロコンピュータを動作させるために、太陽電池や待機用トランス、レギュレータなど複数の電源部品による構成が必要であった。さらに、主電源スイッチがオンの場合に、リモートコントローラによりオフとするように制御されたときには、主電源回路はオフされたが、マイクロコンピュータ自身は、待機用トランスおよびレギュレータにより電源供給されていた。従って、いわゆるスタンバイ状態における待機時電力を低減することは困難であった。
【０００９】
すなわち、従来は、容易な構成で待機時電力を低減することができなかった。
そこで本発明は上述した課題を解決するために、容易な構成で待機時電力を低減することができる電源制御装置、電子機器および電源制御方法を提供することを目的とする。
【課題を解決するための手段】
【００１０】
本発明は上述した課題を解決するため、外部から供給される電源に基づいて生成され、信号処理手段に供給される所定電圧の供給電源の供給を制御する電源制御装置であって、前記供給電源のオン／オフを切り替える信号を遠隔操作機器から受信する受信手段と、前記受信手段が受信する前記信号に応じて、前記供給電源のオン／オフを制御する制御手段と、前記制御手段による前記供給電源のオン／オフの制御に関する情報に基づいて、前記受信手段が受信した信号が、前記供給電源をオフからオンに切り替える信号か、またはオンからオフに切り替える信号かを識別する識別手段と、を具備し、前記制御手段は、前記識別手段がオフに切り替える信号であると識別した場合に、当該識別結果の通知に対する前記信号処理手段からの返信に応じて、前記制御手段は前記供給電源をオフするように制御し、前記受信手段、前記制御手段、および前記識別手段は、前記供給電源がオフするように制御されている場合に、前記供給電源がオンのときに当該供給電源の電力に基づいて充電される蓄電源を供給されて動作することを特徴とするものである。
【００１１】
また本発明は上述した課題を解決するため、外部から供給される電源に基づいて生成され、信号処理手段に供給される所定電圧の供給電源の供給を制御する電源制御方法であって、前記供給電源のオン／オフを切り替える信号を遠隔操作機器から受信し、前記受信した信号に応じて、前記供給電源のオン／オフを制御し、前記供給電源のオン／オフの制御に関する情報に基づいて、前記受信した信号が、前記供給電源をオフからオンに切り替える信号か、またはオンからオフに切り替える信号かを識別し、前記受信した信号がオフに切り替える信号であると識別された場合に、当該識別結果の通知に対する前記信号処理手段からの返信に応じて、前記供給電源をオフするように制御し、前記受信、前記制御、および前記識別は、前記供給電源がオフするように制御されている場合に、前記供給電源がオンのときに当該供給電源の電力に基づいて充電される蓄電源の供給により実行されることを特徴とするものである。
【発明の効果】
【００１２】
本発明によれば、容易な構成で待機時電力を低減することができる。
【図面の簡単な説明】
【００１３】
【図１】本発明の実施形態に係る電源制御装置を備える電子機器であるテレビジョン受像機の構成を示すブロック図。
【図２】本実施形態における、電源制御処理を実行する各ブロックによるシステム構成図。
【図３】電源制御処理のうち、所定電圧電源をＯＮする動作を説明するためのシーケンス図。
【図４】電源制御処理のうち、所定電圧電源をＯＦＦする動作を説明するためのシーケンス図。
【図５】本実施形態における、電源制御処理の変形例を実行する各ブロックによるシステム構成図。
【図６】電源制御処理の変形例のうち、所定電圧電源をＯＦＦする動作を説明するためのシーケンス図。
【発明を実施するための形態】
【００１４】
以下、本発明における実施形態について図面を用いて説明する。
図１は、本発明の実施形態に係る電源制御装置を備える電子機器であるテレビジョン受像機１０の構成を示すブロック図である。
本実施形態に係るテレビジョン受像機１０は、放送波処理部２０、外部機器ＩＦ部３１、信号処理制御部４０、操作部５１、表示器６１、スピーカ６２、電源部１００、電源制御部１１０などで構成されている。また、放送波処理部２０にはアンテナＡＮＴが接続されていて、電源部１００は宅内コンセントなどに接続される。さらに、電源制御部１１０は操作機器ＣＤと情報のやりとりを行う。例えば、操作機器ＣＤは、赤外線リモコンや無線通信機器などの遠隔操作機器である。
【００１５】
このテレビジョン受像機１０は、電源部１００に接続される宅内コンセントなどから供給される電源に基づいて動作する。そして、テレビジョン受像機１０は、操作機器ＣＤから入力される電源のＯＮ／ＯＦＦを切り替える信号に応じて、現在の電源のＯＮ／ＯＦＦに関する情報に基づき、テレビジョン受像機１０のほぼ全てのブロックへ供給される電源のＯＮ／ＯＦＦを切り替える電源制御処理を実行する。
【００１６】
電源部１００は、宅内コンセントなどから供給される電源に基づいて、ＡＣ／ＤＣ変換やＤＣ／ＤＣ変換などの電圧変換処理を施して所定電圧電源を生成する。そして、この電源部１００は、生成した所定電圧電源を、信号処理制御部４０を含むテレビジョン受像機１０のほぼ全てのブロックへ供給する。また電源部１００は、電源制御部１１０から入力される制御信号に基づいて、所定電圧電源の供給のＯＮ／ＯＦＦを切り替えて、電源制御処理を実行する。さらに電源部１００は、所定電圧電源の電力に基づいて蓄電源に充電する充電処理を施して、電源として利用する充電電源を生成する。そして、この電源部１００は、電源制御処理によって所定電圧電源の供給をＯＦＦしているときには、この生成した充電電源を電源制御部１１０へ供給する。
【００１７】
電源制御部１１０は、操作機器ＣＤとの間で情報のやりとりをして、この情報に応じて信号処理制御部４０と通信する。また、この電源制御部１１０は、操作機器ＣＤから入力された情報に基づいて、所定電圧電源の供給のＯＮ／ＯＦＦを切り替える制御信号を電源部１００へ出力して、電源制御処理を実行する。さらに、電源制御部１１０は、電源部１００が、所定電圧電源の供給をＯＦＦしているときに、電源部１００から供給される充電電源によって動作する。この電源制御部１１０は、電源部１００が、所定電圧電源の供給をＯＮしているときには、電源部１００から供給される所定電圧電源によって動作する。
【００１８】
これ以降で説明するほぼ全てのブロックは、電源部１００から供給される所定電圧電源で動作する。従って、電源部１００が、電源制御処理によって所定電圧電源の供給をＯＦＦしているときには、これ以降で説明するほぼ全てのブロックは動作しなくなる。
【００１９】
放送波処理部２０は、アンテナＡＴによって受信された地上または衛星によるデジタル放送波やアナログ放送波に対応するチューナおよびデコーダを有する。この放送波処理部２０は、アンテナＡＴが受信した信号を取得して、この取得した信号に対して特定チャンネルの選局処理および復調復号処理を施し、番組の映像音声情報や番組関連情報などが含まれる信号を信号処理制御部４０に出力する。なお番組関連情報は、番組に関するチャンネル番号や、放送波、放送局名、番組名、ジャンルなどの情報である。
【００２０】
外部機器ＩＦ部３１は、ＨＤＭＩ（登録商標）規格やＵＳＢ規格、ＩＥＥＥ１３９４規格などの様々な規格に準じた接続部によりテレビジョン受像機１０の外部機器や、外部ＨＤＤやメモリカードなどの記録媒体などに接続する。そして、外部機器ＩＦ部３１は、この接続した外部機器や記録媒体などから提供される複数の番組の映像音声情報や番組関連情報などが含まれる信号を取得して信号処理制御部４０へ出力する。
【００２１】
操作部５１は、テレビジョン受像機１０を操作する操作入力の情報を受信して信号処理制御部４０へ出力する。
信号処理制御部４０は、操作部５１や電源制御部１１０からの操作入力などの情報に基づいて、放送波処理部２０や外部機器ＩＦ部３１などから入力された情報に対して、圧縮されたデータの伸張処理などの様々な処理や、番組表を作成するための情報抽出処理を施す。この信号処理制御部４０は、取得された情報に対して、ＭＰＥＧ符号化／復号化演算処理や、映像信号と音声信号の分離処理などの様々な処理を施して表示器６１へ映像信号を出力し、スピーカ６２へ音声信号を出力する。また、信号処理制御部４０は制御部として、ＣＰＵまたはマイコン（不図示）を備えていて、信号処理制御部４０自身に備えられた各モジュールや信号処理制御部４０に接続された各モジュールを利用して複数の処理の実行を制御する。
【００２２】
本実施形態では、信号処理制御部４０は、電源制御部１１０と操作機器ＣＤとの間でやりとりする操作入力の情報に応じて電源制御部１１０と通信して、操作機器ＣＤからの操作入力の情報に対応する様々な処理を実行する。具体的には、この信号処理制御部４０は、テレビジョン受像機１０の電源の供給をＯＦＦとするための情報について電源制御部１１０と通信して、電源の供給をＯＦＦとするための所定の処理を実行する。また、前述したように、信号処理制御部４０は、電源部１００から供給される所定電圧電源によって動作する。
【００２３】
表示器６１は、信号処理制御部４０から入力された映像信号を表示する表示モジュールである。例えば、表示器６１は、液晶ディスプレイ（Liquid  Crystal  Display；以下、ＬＣＤとも称する）やＰＤＰ（Plasma  Display  Panel）などの薄型ディスプレイである。
【００２４】
スピーカ６２は、信号処理制御部４０から入力された音声信号を出力する。
なお、本実施形態は、本発明に係る構成を適用した電源制御装置を備える電子機器として、テレビジョン受像機を例とした形態である。しかし、本実施形態に係る電子機器と同様の構造の、ＨＤＤレコーダ、ＤＶＤレコーダ、パーソナルコンピュータ、携帯移動端末などを例とした形態であっても構わない。また、テレビ放送や衛星放送だけでなく、ラジオ放送やインターネット等を用いた有線放送などを受信して映像信号を出力する電子機器であるセットトップボックスなどを例とした実施形態であってもよい。
【００２５】
このような構成により、本発明の実施形態に係るテレビジョン受像機１０の各ブロックは、電源部１００を介して供給される所定電圧電源および充電電源により動作する。また、テレビジョン受像機１０の特定のブロックが、所定電圧電源または充電電源を供給されて、ほぼ全てのブロックへ供給される所定電圧電源の供給のＯＮ／ＯＦＦを制御する処理を実行する。特に、所定電圧電源の供給がＯＦＦと制御されている場合、特定のブロックが充電電源によって動作するので、容易な構成で待機時電力を低減することができる。
【００２６】
そして、これらの処理は、電源部１００を介して供給される電源に基づいて、主に電源制御部１１０が実行するものである。
次に、図２を用いて、図１で説明した電源部１００および電源制御部１１０に備えられ、電源制御処理を実行する各ブロックを説明する。
図２は、本実施形態における、電源制御処理を実行する各ブロックによるシステム構成図である。
前述したとおり、この電源制御処理は、電源制御部１１０が操作機器ＣＤからの情報に基づいて制御信号を出力し、電源部１００がこの出力された制御信号に基づいて、所定電圧電源の供給のＯＮ／ＯＦＦを切り替える処理である。
【００２７】
本実施形態に係る電源部１００は、開閉部２１１、電圧変換部２１２、充電制御部２１３、蓄電源２１４などを備えている。また、本実施形態に係る電源制御部１１０は、信号受信部２０１、信号識別部２０２、開閉制御部２０３、通信部２０４などを備えている。
【００２８】
まず、電源部１００に備えられた各ブロックを説明する。
開閉部２１１は、信号処理制御部４０に電源を供給する電源供給経路を開閉する開閉部品である。この開閉部２１１が、開閉制御部２０３から入力される情報に基づいて電源供給経路を開閉して、電源の供給をＯＮ／ＯＦＦする。また、開閉部２１１は、宅内コンセントなどから電源を供給される経路のうち、電圧変換部２１２よりも供給元に近い経路に設けられる。例えば、この開閉部２１１は、リレーや機械スイッチなどを適用することができるが、本実施形態では、開閉部２１１をリレーに適用した例として説明する。
【００２９】
電圧変換部２１２は、開閉部２１１を介して供給される電源に対して、ＡＣ／ＤＣ変換やＤＣ／ＤＣ変換などの電圧変換処理を施して所定電圧電源を生成し、この生成された所定電圧電源を充電制御部２１３へ供給する。また、電圧変換部２１２は、この所定電圧電源を、テレビジョン受像機１０の各ブロックへも供給する。
【００３０】
充電制御部２１３は、所定電圧電源の供給がＯＮされているときには、電圧変換部２１２から供給された所定電圧電源の電力に基づいて、蓄電源２１４に充電する充電処理を施して充電電源（蓄電源２１４）を生成する。しかし、充電制御部２１３は、所定電圧電源の供給がＯＮされていても、蓄電源２１４が満充電の状態の場合は、充電処理の実行を停止して所定電圧電源を供給するように動作する。この充電制御部２１３は、所定電圧電源の供給がＯＦＦされているときにも、充電処理の実行を停止する。
【００３１】
蓄電源２１４は、所定電圧電源の供給がＯＮされているときに、充電制御部２１３が実行する充電処理により充電され、所定電圧電源の供給がＯＦＦされているときに、電源として利用される充電電源である。つまり、この蓄電源２１４は、所定電圧電源の供給がＯＦＦされているときに、充電電源として電源制御部１１０の各ブロックへ供給される。また、蓄電源２１４は、所定電圧電源の供給がＯＮされているときには、電源として利用されずに、充電制御部２１３による充電処理により充電され、満充電状態となると充電されなくなる。例えば蓄電源２１４は、所定の容量の電気２重層コンデンサなどを適用することができる。
【００３２】
次に、電源制御部１１０に備えられた各ブロックを説明する。
信号受信部２０１は、操作機器ＣＤから送信される、テレビジョン受像機１０を操作する操作入力に関する信号を受信して、受信した信号に所定の処理を施した情報を信号識別部２０２へ出力する。例えば、操作機器ＣＤが赤外線リモコンであれば、信号受信部２０１は、操作機器ＣＤから送信される赤外線の信号に光電変換を施し、変換された情報を信号識別部２０２へ出力する。特に、一般的に汎用的な赤外線リモコンでは、電源の供給をＯＮ／ＯＦＦする操作キーは単一であり、この操作キーの押下により交互に電源の供給のＯＮ／ＯＦＦが制御される。従って、赤外線リモコンから送信される電源の供給をＯＮ／ＯＦＦする信号も単一のものとなる。なお、信号受信部２０１は、テレビジョン受像機１０の状態を示す情報などを操作機器ＣＤへ送信してもよい。
【００３３】
信号識別部２０２は、信号受信部２０１から入力された情報を識別して、信号処理制御部４０へ出力する。しかし、この信号識別部２０２は、信号受信部２０１から入力された情報を識別した結果が特定の情報である場合には、開閉制御部２０３の制御状態を参照する。そして、信号識別部２０２は、これらの識別結果および参照結果に対応する特定の制御情報を開閉制御部２０３または信号処理制御部４０へ出力する。具体的には、入力された情報が、テレビジョン受像機１０の電源の供給のＯＮ／ＯＦＦを制御する情報であると識別された場合に適用される。例えば、赤外線リモコンといった操作機器ＣＤから送信される電源の供給をＯＮ／ＯＦＦする信号は、単一のものであることが一般的である。このとき、信号識別部２０２は、開閉制御部２０３が開と制御しているか閉と制御しているかを参照して、これらの識別結果および参照結果に対応する、開閉部２１１を開閉する（電源の供給をＯＮ／ＯＦＦする）ための制御情報を開閉制御部２０３または信号処理制御部４０へ出力する。
【００３４】
開閉制御部２０３は、信号識別部２０２または通信部２０４から入力される制御情報に基づき、電源供給経路の開閉を制御する開閉情報を、開閉部２１１へ出力する。また、開閉制御部２０３は、信号識別部２０２からの参照に応じて、現在、開閉部２１１へ出力している開閉情報が開であるか閉であるかを応答する。
【００３５】
通信部２０４は、信号処理制御部４０に備えられた制御部（不図示）と通信し、開閉部２１１を開と制御する（電源の供給をＯＦＦする）ための制御情報を通知された場合に、この制御情報を開閉制御部２０３へ出力する。
【００３６】
すなわち、電源部１００に備えられた開閉部２１１は、操作機器ＣＤからの信号を受信した電源制御部１１０に備えられた開閉制御部２０３から入力される開閉情報に基づいて、所定電圧電源の供給のＯＮ／ＯＦＦを切り替える。そして、開閉制御部２０３が、所定電圧電源の供給をＯＮとしている場合に、充電電源としての蓄電源２１４への充電処理が実行され、開閉制御部２０３が、所定電圧電源の供給をＯＦＦとしている場合に、蓄電源２１４が充電電源として電源制御部１１０の各ブロックへ供給される。
【００３７】
このようなシステムの構成により、本発明の実施形態に係る電源制御部１１０は、電源部１００に対する電源制御装置として構成され、また、所定電圧電源または充電電源を供給されて、電源部１００が供給する各種電源に対する電源制御処理を実行する。特に、所定電圧電源の供給がＯＦＦと制御されている場合、電源制御部１１０が充電電源によって動作するので、容易な構成で待機時電力を低減することができる。
【００３８】
次に、図３を用いて、図２で説明した各ブロックによって実行される電源制御処理のうち、所定電圧電源をＯＮする動作を説明する。
図３は、電源制御処理のうち、所定電圧電源をＯＮする動作を説明するためのシーケンス図である。
まず、信号識別部２０２が、操作機器ＣＤから送信される信号に応じて信号受信部２０１が出力する情報が、テレビジョン受像機１０の電源の供給のＯＮ／ＯＦＦを制御する情報であると識別する（Ｓ３０１）。また、信号識別部２０２は、開閉制御部２０３の制御状態を参照して、現在、開閉制御部２０３が開と制御している（電源の供給がＯＦＦしている）ことを把握する（Ｓ３０２）。そして、信号識別部２０２は、開閉部２１１を閉と制御する（電源の供給をＯＮする）ための制御情報を開閉制御部２０３へ出力する（Ｓ３０３）。この制御情報を入力された開閉制御部２０３は、電源供給経路を閉と制御する（電源の供給をＯＮする）開閉情報を開閉部２１１へ出力する。そして、開閉部２１１が、この開閉情報により電源供給経路を閉じて所定電圧電源の供給をＯＮとする（Ｓ３０４）。
【００３９】
すなわち、電源制御処理の所定電圧電源をＯＮする動作では、信号識別部２０２が、現在の電源の供給がＯＦＦの状態であることを把握してから、電源の供給をＯＮとするように開閉制御部２０３に対して直接的に、制御情報を出力する。
【００４０】
次に、図４を用いて、図２で説明したシステムの構成の各ブロックによって実行される電源制御処理のうち、所定電圧電源をＯＦＦする動作を説明する。
図４は、電源制御処理のうち、所定電圧電源をＯＦＦする動作を説明するためのシーケンス図である。
まず、信号識別部２０２が、操作機器ＣＤから送信される信号に応じて信号受信部２０１が出力する情報が、テレビジョン受像機１０の電源の供給のＯＮ／ＯＦＦを制御する情報であると識別する（Ｓ４０１）。また、信号識別部２０２は、開閉制御部２０３の制御状態を参照して、現在、開閉制御部２０３が閉と制御している（電源の供給がＯＮしている）ことを把握する（Ｓ４０２）。さらに、信号識別部２０２は、開閉部２１１を開と制御する（電源の供給をＯＦＦする）ための制御情報を信号処理制御部４０へ出力する（Ｓ４０３）。
【００４１】
そして、信号処理制御部４０は、電源制御部１１０に備えられた信号識別部２０２から入力された制御情報が、電源供給経路を開と制御する（電源の供給をＯＦＦする）情報であることを識別する（Ｓ４０４）。また、信号処理制御部４０は、テレビジョン受像機１０に備えられ、信号処理制御部４０に接続された各モジュールに対して、電源ＯＦＦに伴う所定の処理を実行するように制御する（Ｓ４０５）。さらに、信号処理制御部４０は、電源ＯＦＦに伴う所定の処理が実行されてから、開閉部２１１を開と制御する（電源の供給をＯＦＦする）ための制御情報について電源制御部１１０に備えられた通信部２０４と通信する（Ｓ４０６）。
【００４２】
ここで、通信部２０４は、開閉部２１１を開と制御する（電源の供給をＯＦＦする）ための制御情報を開閉制御部２０３へ出力する（Ｓ４０７）。そして、開閉制御部２０３は、電源供給経路を開と制御する（電源の供給をＯＦＦする）開閉情報を開閉部２１１へ出力して、開閉部２１１が、この開閉情報により電源供給経路を開けて所定電圧電源の供給をＯＦＦとする（Ｓ４０８）。所定電圧電源の供給がＯＦＦされると、電源制御部１１０は、蓄電源２１４による充電電源を供給されて動作することができる。
【００４３】
すなわち、電源制御処理の所定電圧電源をＯＦＦする動作では、信号識別部２０２が、現在の電源の供給がＯＮの状態であることを把握してから、電源の供給をＯＦＦする情報を信号処理制御部４０へ出力し、さらに、通信部２０４が、この処理が完了したことを信号処理制御部４０と通信して、電源の供給をＯＦＦとするように開閉制御部２０３へ制御情報を出力する。
【００４４】
このようにして、充電電源で電源制御部１１０が動作する、電源の供給がＯＦＦの状態と、所定電圧電源でテレビジョン受像機１０のほぼ全てのブロックが動作する、電源の供給がＯＮ状態とが、図３、図４を用いて説明したシーケンスに従って切り替えられ電源制御処理が実行される。
【００４５】
（変形例）
次に、図５を用いて、図１で説明した電源部１００および電源制御部１１０に備えられ、電源制御処理の変形例を実行する各ブロックを説明する。
図５は、本実施形態における、電源制御処理の変形例を実行する各ブロックによるシステム構成図である。
本変形例のシステム構成図は、図２に示したシステム構成図と略同様であるが、電源制御部１１０に備えられたブロックの中で、信号処理制御部４０との情報のやりとりを通信部５０４のみが実行する点で異なる。これ以降では、図２に示したシステム構成図と同様なブロックには図２のシステム構成図と同一の符号を付し、また、同様なブロックの説明は省略または簡略化して、主に異なる点について詳細に説明する。
【００４６】
本変形例に係る電源部１００は、開閉部２１１、電圧変換部２１２、充電制御部２１３、蓄電源２１４などを備えている。また、本変形例に係る電源制御部１１０は、信号受信部２０１、信号識別部５０２、開閉制御部２０３、通信部５０４などを備えている。
【００４７】
電源部１００に備えられた各ブロックは図２で説明した各ブロックと同様である。
すなわち、電源供給経路を開閉する開閉部２１１を介して供給される電源に対して、電圧変換部２１２が所定の電圧変換処理を施して生成した所定電圧電源が、充電制御部２１３およびテレビジョン受像機１０の各ブロックへ供給される。また、充電制御部２１３が、所定電圧電源の電力に基づいて、蓄電源２１４に充電する充電処理を施して充電電源（蓄電源２１４）を生成して電源制御部１１０へ供給する。
【００４８】
次に、電源制御部１１０に備えられた各ブロックを説明する。
信号受信部２０１および開閉制御部２０３は、図２に示したそれぞれのブロックと同様であるので説明は省略する。
信号識別部５０２は、図２に示した信号識別部２０２とは、識別した情報を電源制御部１１０の外部の信号処理制御部４０ではなく、電源制御部１１０に備えられた通信部５０４へ出力する点で異なる。従って具体的には、信号識別部５０２は、信号受信部２０１から入力された情報を識別して、通信部５０４へ出力する。また、入力された情報が、テレビジョン受像機１０の電源の供給のＯＮ／ＯＦＦを制御する情報であると識別された場合には、信号識別部５０２は、開閉制御部２０３が開と制御しているか閉と制御しているかを参照する。そして、信号識別部５０２は、これらの識別結果および参照結果に対応する、開閉部２１１を開閉する（電源の供給をＯＮ／ＯＦＦする）ための制御情報を開閉制御部２０３または通信部５０４へ出力する。
【００４９】
通信部５０４は、図２に示した通信部２０４とは、信号識別部５０２が識別した結果の情報を入力される点で異なる。従って通信部５０４は、信号識別部５０２が識別した結果の情報を入力されて、この入力された情報について、信号処理制御部４０に備えられた制御部（不図示）と通信する。また、通信部５０４は、信号処理制御部４０との通信で、開閉部２１１を開と制御する（電源の供給をＯＦＦする）ための制御情報を通知された場合に、この制御情報を開閉制御部２０３へ出力する。
【００５０】
このようなシステムの構成によって実行される電源制御処理の変形例でも、本発明の実施形態に係る電源制御部１１０が、電源部１００に対する電源制御装置として構成され、また、所定電圧電源または充電電源を供給されて、電源部１００が供給する各種電源のＯＮ／ＯＦＦを制御する。特に、所定電圧電源の供給がＯＦＦと制御されている場合、電源制御部１１０が充電電源によって動作するので、容易な構成で待機時電力を低減することができる。
【００５１】
次に、図６を用いて、図５で説明したシステムの構成の各ブロックによって実行される電源制御処理の変形例のうち、所定電圧電源をＯＦＦする動作を説明する。
図６は、電源制御処理の変形例のうち、所定電圧電源をＯＦＦする動作を説明するためのシーケンス図である。
本変形例の所定電圧電源をＯＦＦするシーケンス図は、図４に示したシーケンス図と略同様であるが、電源の供給をＯＦＦするための制御情報が、信号識別部５０２から通信部５０４を介して信号処理制御部４０へ出力される点で異なる。これ以降では、図４に示したシーケンス図と同様な箇所の説明は簡略化し、主に異なる点について詳細に説明する。
【００５２】
まず、信号識別部５０２は、信号受信部２０１から入力される情報が、電源の供給のＯＮ／ＯＦＦを制御する情報であると識別して（Ｓ６０１）、開閉制御部２０３の制御状態を参照し、現在、電源の供給がＯＮしていることを把握する（Ｓ６０２）。また、信号識別部５０２は、開閉部２１１を開と制御する（電源の供給をＯＦＦする）ための制御情報を通信部５０４へ出力する（Ｓ６０３）。
【００５３】
そして、この制御信号を入力された通信部５０４は、信号処理制御部４０に備えられた制御部（不図示）と通信して、この制御情報を信号処理制御部４０へ出力する（Ｓ６０４）。また、信号処理制御部４０は、通信部５０４から入力された制御情報が、電源の供給をＯＦＦする情報であることを識別し（Ｓ６０５）、信号処理制御部４０に接続された各モジュールに対して、電源ＯＦＦに伴う複数の処理を実行するように制御する（Ｓ６０６）。さらに、信号処理制御部４０は、電源ＯＦＦに伴う複数の処理が実行されてから、電源の供給をＯＦＦするための制御情報について、通信部５０４と通信する（Ｓ６０７）。
【００５４】
ここで、通信部５０４は、電源の供給をＯＦＦするための制御情報を開閉制御部２０３へ出力する（Ｓ６０８）。そして、開閉制御部２０３は、電源供給経路を開と制御する（電源の供給をＯＦＦする）開閉情報を開閉部２１１へ出力して、開閉部２１１が、この開閉情報により所定電圧電源の供給をＯＦＦとする（Ｓ６０９）。所定電圧電源の供給がＯＦＦされると、電源制御部１１０は、蓄電源２１４による充電電源を供給されて動作することができる。
【００５５】
すなわち、本変形例の所定電圧電源をＯＦＦする動作では、信号識別部５０２が、現在の電源の供給がＯＮの状態であることを把握してから、電源の供給をＯＦＦする情報を、通信部５０４を介して信号処理制御部４０へ出力する。そして、通信部５０４が、この処理が完了したことを信号処理制御部４０と通信して、電源の供給をＯＦＦとするように開閉制御部２０３へ制御情報を出力する。
【００５６】
このようにして、図６を用いて説明したシーケンスに従って、電源の供給がＯＮ状態から、充電電源で電源制御部１１０が動作する、電源の供給がＯＦＦの状態へと切り替えられる電源制御処理の変形例が実行される。
【００５７】
以上説明したように本実施形態によれば、テレビジョン受像機１０は、電源の供給状態において、宅内コンセントなどから供給される電源から生成される所定電圧電源が供給されるＯＮ状態と、所定電圧電源が供給されず、この所定電圧電源電力に基づいて充電される充電電源が電源制御部１１０に供給されるＯＦＦ状態とを有している。また、電源の供給のＯＦＦ状態とＯＮ状態とを切り替える電源制御処理が、所定のシーケンスに従って、主に電源制御部１１０によって実行される。そして、電源の供給のＯＦＦ状態では、この電源制御部１１０は、充電電源である蓄電源２１４により動作するので、容易な構成で待機時電力を低減することができる。
【００５８】
また本発明は、上述した実施形態に限定されるものではなく、本発明の要旨を変えない範囲において、種々の変更、改変等が可能である。
【符号の説明】
【００５９】
１０…テレビジョン受像機、２０…放送波処理部、３１…外部機器ＩＦ部、４０…信号処理制御部、５１…操作部、６１…表示器、６２…スピーカ、１００…電源部、１１０…電源制御部、ＣＤ…操作機器、２０１…信号受信部、２０２，５０２…信号識別部、２０３…開閉制御部、２０４，５０４…通信部、２１１…開閉部、２１２…電圧変換部、２１３…充電制御部、２１４…蓄電源。
【図１】
2011071810.tif 000003
【図２】
2011071810.tif 000004
【図３】
2011071810.tif 000005
【図４】
2011071810.tif 000006
【図５】
2011071810.tif 000007
【図６】
2011071810.tif 000008
【手続補正書】
【提出日】平成22年11月4日(2010.11.4)
【手続補正１】
【補正対象書類名】明細書
【補正対象項目名】００１０
【補正方法】変更
【補正の内容】
【００１０】
本発明は上述した課題を解決するため、外部電源から供給される電源に基づいて生成され、信号処理手段に供給される所定電圧の電源供給を制御する電源制御装置であって、前記電源供給のオン／オフを切り替える信号を遠隔操作機器から受信する受信手段と、前記受信した信号に応じて、前記電源供給のオン／オフを制御する制御手段と、前記制御手段を用いる前記電源供給のオン／オフの制御に関する情報に基づいて、前記受信した信号が、前記電源供給をオフからオンに切り替える信号か、または前記電源供給をオンからオフに切り替える信号かを識別する識別手段と、を具備し、前記識別手段が前記受信した信号について前記電源供給をオンからオフに切り替える信号であると識別した場合に、当該識別結果の通知に対する前記信号処理手段からの返信に応じて、前記制御手段は前記電源供給をオフするように制御し、前記受信手段、前記制御手段、および前記識別手段は、前記電源供給がオフするように制御されている場合に、前記電源供給がオンのときに当該電源供給により充電される蓄電源によって動作することを特徴とするものである。
【手続補正２】
【補正対象書類名】明細書
【補正対象項目名】００１１
【補正方法】変更
【補正の内容】
【００１１】
また本発明は上述した課題を解決するため、外部電源から供給される電源に基づいて生成され、信号処理手段に供給される所定電圧の電源供給を制御する電源制御装置により、外部から供給される電源に基づいて生成され、信号処理手段に供給される所定電圧の電源供給を制御する電源制御方法であって、前記電源供給のオン／オフを切り替える信号を遠隔操作機器から受信し、前記受信した信号に応じて、前記電源供給のオン／オフを制御し、前記電源供給のオン／オフの制御に関する情報に基づいて、前記受信した信号が、前記電源供給をオフからオンに切り替える信号か、または前記電源供給をオンからオフに切り替える信号かを識別し、前記受信した信号が前記電源供給をオンからオフに切り替える信号であると識別された場合に、当該識別結果の通知に対する前記信号処理手段からの返信に応じて、前記電源供給がオフされ、前記受信、前記制御、および前記識別は、前記電源供給がオフである場合に、前記電源供給がオンのときに当該電源供給により充電される蓄電源の供給により実行されることを特徴とするものである。
【手続補正３】
【補正対象書類名】特許請求の範囲
【補正対象項目名】全文
【補正方法】変更
【補正の内容】
【特許請求の範囲】
【請求項１】
外部電源から供給される電源に基づいて生成され、信号処理手段に供給される所定電圧の電源供給を制御する電源制御装置であって、
前記電源供給のオン／オフを切り替える信号を遠隔操作機器から受信する受信手段と、
前記受信した信号に応じて、前記電源供給のオン／オフを制御する制御手段と、
前記制御手段を用いる前記電源供給のオン／オフの制御に関する情報に基づいて、前記受信した信号が、前記電源供給をオフからオンに切り替える信号か、または前記電源供給をオンからオフに切り替える信号かを識別する識別手段と、
を具備し、
前記識別手段が前記受信した信号について前記電源供給をオンからオフに切り替える信号であると識別した場合に、当該識別結果の通知に対する前記信号処理手段からの返信に応じて、前記制御手段は前記電源供給をオフするように制御し、
前記受信手段、前記制御手段、および前記識別手段は、前記電源供給がオフするように制御されている場合に、前記電源供給がオンのときに当該電源供給により充電される蓄電源によって動作することを特徴とする電源制御装置。
【請求項２】
前記信号処理手段と通信する通信手段をさらに具備し、
前記識別手段が前記受信した信号について前記電源供給をオンからオフに切り替える信号であると識別した場合、前記通信手段は、前記識別結果および前記信号処理手段からの返信のうち少なくとも一方の通知に関して通信することを特徴とする請求項１記載の電源制御装置。
【請求項３】
前記制御手段は、前記外部電源の供給元に近い電源供給経路であって、前記電源供給に対して所定の電圧変換がなされる前の電源供給経路を開閉して前記電源供給のオン／オフを制御することを特徴とする請求項２記載の電源制御装置。
【請求項４】
信号処理手段と、
外部電源から供給される電源に基づいて生成され、前記信号処理手段に供給される所定電圧の電源供給を制御する電源制御装置であって、
前記電源供給のオン／オフを切り替える信号を遠隔操作機器から受信する受信手段と、
前記受信した信号に応じて、前記電源供給のオン／オフを制御する制御手段と、
前記制御手段を用いる前記電源供給のオン／オフの制御に関する情報に基づいて、前記受信した信号が、前記電源供給をオフからオンに切り替える信号か、または前記電源供給をオンからオフに切り替える信号かを識別する識別手段と、
を有し、
前記識別手段が前記受信した信号について前記電源供給をオンからオフに切り替える信号であると識別した場合に、当該識別結果の通知に対する前記信号処理手段からの返信に応じて、前記制御手段は前記電源供給をオフするように制御し、
前記受信手段、前記制御手段、および前記識別手段は、前記電源供給がオフされている場合に、前記電源供給がオンのときに当該電源供給により充電される蓄電源によって動作することを特徴とする電源制御装置と、
を具備したことを特徴とする電子機器。
【請求項５】
外部電源から供給される電源に基づいて生成され、信号処理手段に供給される所定電圧の電源供給を制御する電源制御装置により、外部電源から供給される電源に基づいて生成され、信号処理手段に供給される所定電圧の電源供給を制御する電源制御方法であって、
前記電源供給のオン／オフを切り替える信号を遠隔操作機器から受信し、
前記受信した信号に応じて、前記電源供給のオン／オフを制御し、
前記電源供給のオン／オフの制御に関する情報に基づいて、前記受信した信号が、前記電源供給をオフからオンに切り替える信号か、または前記電源供給をオンからオフに切り替える信号かを識別し、
前記受信した信号が前記電源供給をオンからオフに切り替える信号であると識別された場合に、当該識別結果の通知に対する前記信号処理手段からの返信に応じて、前記電源供給がオフされ、
前記受信、前記制御、および前記識別は、前記電源供給がオフである場合に、前記電源供給がオンのときに当該電源供給により充電される蓄電源の供給により実行されることを特徴とする電源制御方法。